【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
一連の浸漬成形のフォーマー（４）から対応する一連の部分的に剥ぎ取られた弾性浸漬成形の手袋（２）であって、夫々の前記フォーマー（４）が前記手袋の垂れ下がっているカフ端部分（１０）を有し、このカフ端部分の夫々が対向する第１側部および第２側部（９、９’）を有し、かつビーズ付きカフ端部（３）を最端部にした弾性浸漬成形の手袋（２）を完全に剥ぎ取る手袋剥ぎ取り装置（２０）において、
第１把持部材（２４）および第２把持部材（２６）を有し、これら把持部材のうちの少なくとも一方がこれら把持部材の他方に対して移動し、前記の垂れ下がっているカフ端部分（１０）の少なくとも一つを、対向する前記第１側部および第２側部（９、９’）で把持する把持部（２５）があって、前記手袋（２）の剥ぎ取り時に前記フォーマー（４）から離間できる前記把持部（２５）と、
前記第１側部（９）から離間する第１方向（５１）に延在し、前記剥ぎ取り時に前記把持部（２５）が前記第１方向に水平移動できる開放空間（３５、６５）と、
前記カフ端部分（１０）の把持時に前記第１および第２把持部材（２４、２６）の少なくとも一つの移動を駆動するため、および、剥ぎ取り時に前記把持部を移動させるための少なくとも一つのアクチュエーター（３１、３２）、および、前記手袋（２）の把持および剥ぎ取り時の移動を制御する制御部（５０）と
を備える作動システム（３１、３２、３３、５０）を有する手袋剥ぎ取り装置であり、
前記作動システム（３１、３２、３３、５０）が作動し、前記第１および第２把持部材（２４、２６）を使用して前記カフ端部分（１０）を把持し、次に前記剥ぎ取り時に前記把持部（２５）を前記第１方向（５１）に実質的に水平に前記開放空間（３５、６５）内を移動させ、
この手袋剥ぎ取り装置（２０）が前記の垂れ下がっているカフ端部分（１０）の前記第１側部（９）に近接配置される当接体（５５）をさらに含み、そして、
前記開放空間（３５、６５）が前記当接体（５５）の下側に延在し、前記剥ぎ取り時に前記開放空間（３５、６５）において第１方向（５１）に実質的に水平に移動する前記把持部（２５）の動きは、前記当接体（５５）に対して前記第１側部（９）を引っ張り、前記把持部（２５）の前記の実質的に水平に移動することによって前記手袋（２）が完全に剥ぎ取られるまで、前記手袋の第１剥ぎ取り部分を前記第１および第２把持部材（２４、２６）と前記当接体との間に全体として横方向に延在させ、かつ、前記手袋の第２剥ぎ取り部分を前記当接体（５５）と前記フォーマー（４）との間で全体として上向きに延在させたことを特徴とする手袋剥ぎ取り装置（２０）。
【請求項２】
前記当接体（５５）が前記カフ端部分（１０）の前記第１側部（９）に対して支持面（５６）になり、この支持面が前記手袋（２）の剥ぎ取り時に前記第１および第２の剥ぎ取り部分の移動を制限しない請求項１に記載の手袋剥ぎ取り装置（２０）。
【請求項３】
前記支持面が、非回転平滑面、回転支持面（５６）、あるいは空気支持面の一つである請求項２に記載の手袋剥ぎ取り装置（２０）。
【請求項４】
前記支持面（５６）が前記第１および第２の剥ぎ取り部分の間で凸状である請求項２あるいは請求項３のいずれかに記載の手袋剥ぎ取り装置（２０）。
【請求項５】
前記当接体（５５）が前記手袋（２）の剥ぎ取り時移動しない請求項１〜４のいずれか１項に記載の手袋剥ぎ取り装置（２０）。
【請求項６】
前記当接体（５５）が細長く、かつ前記カフ端部分（１０）の前記第１側部（９）に対して実質的に平行である請求項１〜５のいずれか１項に記載の手袋剥ぎ取り装置（２０）。
【請求項７】
前記第１および第２把持部材（２４、２６）のうちの少なくとも一方が前記把持部材のうちの他方に対して移動し、前記手袋（２）が完全に剥ぎ取られた後に、前記の対向する第１側部および第２側部（９、９’）を開放することができ、かつ前記作動システム（３１、３２、３３、５０）が前記カフ端部分（１０）の開放時に前記第１および第２把持部材（２４、２６）のうちの少なくとも一つの移動を駆動する少なくとも一つのアクチュエーター（３１、３２）を有し、前記作動システムが作動し、前記手袋（２）が完全に剥ぎ取られた後に、前記第１および第２把持部材を使用して、前記カフ端部分を開放する請求項１〜６のいずれか１項に記載の手袋剥ぎ取り装置（２０）。
【請求項８】
前記第１把持部材（２４）が実質的に水平方向に延在して、前記カフ端部分（１０）のうちの少なくとも一つの第１側部（９）を把持する第１把持面（３４）を有し、
前記第２把持部材（２６）が実質的に水平方向に延在して、前記手袋（２）の剥ぎ取り時に、前記カフ端部分（１０）のうちの少なくとも一つの第２側部（９’）を把持する第２把持面（３６）を有し、前記第１および第２把持面（３４、３６）がギャップ（４０）を介して相互に向き合うように、前記第１および第２把持部材の向きを揃えて配置し、
前記第１および第２把持面（３４、３６）のうちの少なくとも一つが凸状であり、前記ギャップの下に空隙（３５）を設け、使用時に、ビーズ付きカフ端部（３）および隣接するカフ端部分（１０）を前記ギャップ（４０）から前記空隙（３５）の中に垂れ下がるように構成できて、そして
前記第１および第２把持部材（２４、２６）が、前記第１把持部材および第２把持部材を相互に向けて相対的に移動させ、前記ギャップ（４０’）のすきま距離を狭めることによって前記カフ端部分（１０）を把持し、そこで、これによって前記第１および第２把持部材（２４、２６）が、
（ｉ）前記ギャップ（４０）内に前記カフ端部分（１０）を受け取る開放構成になり、これによって前記カフ端部分は、前記ギャップ下の前記空隙（３５）内に前記ビーズ付きカフ端部（３）を位置付けた状態で前記ギャップの上下に延在し、
（ｉｉ）前記ギャップ（４０’）の十分狭くなる閉鎖構成になり、前記ビーズ付きカフ端部（３）の前記の狭くなったギャップで通過阻止するが、前記カフ端部分（１０）の移動を阻止するほど狭くなく、従って前記剥ぎ取り時に、前記カフ端部分（１０）は、前記ビーズ付きカフ端部（３）が狭くなったギャップ（４０’）によって捕えられるまで前記ギャップ内を移動可能であり、
前記（ｉ）と（ｉｉ）との間で、前記第１把持部材および第２把持部材が移動可能である請求項１〜７のいずれか１項に記載の手袋剥ぎ取り装置（２０）。
【請求項９】
複数の弾性浸漬成形の手袋（２）を製造する製造ラインであって、
複数の浸漬成形のフォーマー（４）、
前記フォーマーで前記手袋（２）を被覆し、かつ硬化する浸漬成形段階（１１、１２．１３）、
前記手袋のビーズ付きカフ端部（３）が最も低い位置にある状態で、夫々の前記手袋のカフ端部分（１０）が前記浸漬成形のフォーマー（４）から垂れ下がるようにして、前記フォーマーから硬化した前記手袋（２）を部分的に剥ぎ取られた手袋の部分的剥ぎ取り装置（１４）であって、前記カフ端部分（１０）が第１材料厚さを有し、かつ、前記ビーズ付きカフ端部（３）が第２材料厚さを有し、そして前記第１材料厚さが前記第２材料厚さよりも薄い手袋の前記部分的剥ぎ取り装置（１４）、および
前記部分的に剥ぎ取られた手袋（２）を前記フォーマー（４）から完全に剥ぎ取る手袋剥ぎ取り装置（２０）を有する製造ラインにおいて、
前記手袋剥ぎ取り装置（２０）が前記部分的に剥ぎ取られた手袋を把持し、前記フォーマー（４）からこれら手袋を剥ぎ取るアクチュエーターシステム（３１、３２、３３、５０）、および対向する第１把持部材および第２把持部材（２４、２６）を備えた把持部（２５）を有し、前記第１および第２把持部材（２４、２６）はギャップ（４０）の対向する相互で最接近する側部において対向する把持面（３４、３６）を構成し、前記アクチュエーターシステム（３１、３２、３３、５０）が前記第１および第２把持部材を相互に移動させて前記ギャップ（４０、４０’、４０’’）の幅を変更し、
前記アクチュエーターシステム（３１、３２、３３、５０）は、
前記把持面（３４、３６）を相対的に離間移動させて前記ギャップ（４０）の幅を拡げるとともに、前記手袋の前記ビーズ付きカフ端部が前記把持面（３４、３６）の下の空隙（３５）に垂れ下がっている状態で、少なくとも一つの垂れ下がっているカフ端部分（１０）に、対向する第１および第２側部の両側部（９、９’）の面を前記離間移動して位置決めし、
前記把持面（３４、３６）を一緒に相対的に移動させて、前記カフ端部分（１０）を前記把持面（３４、３６）の間に拘束し、
前記カフ端部分（１０）を前記把持面（３４、３６）の間に拘束した状態で、前記把持面（３４、３６）を前記フォーマー（４）から第１方向（５１）に実質的に水平に引き離す移動をして、
前記手袋剥ぎ取り装置（２０）が前記の垂れ下がっているカフ端部分（１０）の前記第１側部（９）に近接配置される当接体（５５）をさらに含み、そして、
前記第１方向（５１）で前記フォーマー（４）から実質的に水平に離間する前記把持面（３４、３６）の移動が前記当接体（５５）の下側に向かい、前記手袋（２）を前記フォーマー（４）から完全に剥ぎ取ることを特徴とする製造ライン。
【請求項１０】
手袋が既に部分的に剥ぎ取られた状態において、この手袋の手袋剥ぎ取り装置（２０）を使用して浸漬成形のフォーマー（４）から前記手袋（２）を完全に剥ぎ取る方法であって、
前記の部分的に剥ぎ取られた手袋（２）の夫々が、前記フォーマー（４）から垂れ下がっているビーズ付きカフ端部（３）を最終端にしたカフ端部分（１０）を有し、前記ビーズ付きカフ端部が前記カフ端部分（１０）よりも厚い材料で構成されており、垂れ下がっている前記カフ端部分（１０）に対して相対的に移動することができる把持部（２５）を有し、前記の垂れ下がっているカフ端部分（１０）の第１側部（９）から離れる第１方向（５１）に延在する開放空間（３５、６５）を有し、第１把持部材（２４）および第２把持部材（２６）を含む少なくとも２つの把持部材（２４、２６）を備えた前記把持部（２５）を有し、これら把持部材（２４、２６）がそれぞれ対向する第１把持面および第２把持面（３４，３６）を有し、相互に対向して移動できる方法であって、
ギャップ（４０）は、前記第１および第２把持面（３４、３６）が最接近する対向する前記把持面（３４、３６）の間に存在するように前記第１把持部材（２４）および第２把持部材（２６）を位置決めし、
前記の対向する把持面（３４、３６）間の前記ギャップ（４０）内に前記の垂れ下がっているカフ端部分（１０）の少なくとも一つを受け取り、
前記第１把持部材（２４）および第２把持部材（２６）のうちの少なくとも一つを前記カフ端部分（１０）に対して移動させ、前記ビーズ付きカフ端部（３）が狭められたギャップ（４０’）の下にある状態で前記の対向する把持面（３４、３６）間に前記カフ端部分が拘束されるまで前記ギャップ（４０’）を狭め、
この剥ぎ取り時に、前記第１把持部材（２４）および第２把持部材（２６）を開放空間（３５、６５）において前記第１方向（５１）に実質的に水平に移動させ、
この手袋剥ぎ取り装置（２０）が前記の垂れ下がっているカフ端部分（１０）の前記第１側部（９）に近接配置される当接体（５５）をさらに含み、そして、前記開放空間（３５，６５）が前記当接体の下側に延在し、前記剥ぎ取り時に前記開放空間（３５、６５）に向けて前記第１把持部材（２４）および前記第２把持部材（２６）の実質的に水平な第１方向（５１）の動きは、これによって前記当接体（５５）に対して前記第１側部（９）を引っ張り、前記第１および第２把持部材（２４，２６）と前記当接体（５５）との間で全体として横方向に前記手袋（２）の第１の剥ぎ取られた部分を引っ張るとともに、前記手袋（２）が前記把持部（２５）の全体として水平移動によって完全に剥ぎ取られるまで、前記フォーマー（４）と前記当接体（５５）との間で全体として下向きに前記手袋（２）の第２の剥ぎ取られた部分を引っ張る工程を有することを特徴とする剥ぎ取り方法。
【請求項１１】
前記ビーズ付きカフ端部（３）ではなく、前記カフ端部分（１０）が前記ギャップ内で自在に移動し、前記ビーズ付きカフ端部（３）が前記の狭められたギャップ（４０’）内に嵌め込まれるまで、前記手袋の前記の第１の剥ぎ取られた部分が全体として横方向に引っ張られている間、前記の拘束されたカフ端部分が前記の狭められたギャップ（４０’）に向かって移動するように前記の対向する把持面（３４、３６）間で前記狭められたギャップ（４０’）の幅が設定される請求項１０に記載の剥ぎ取り方法。
【請求項１２】
前記手袋（２）が完全に剥ぎ取られた後に、前記第１把持部材（２４）および第２把持部材（２６）を離間移動させ、この完全に剥ぎ取られた手袋を手袋載置面（７０）に実質的に水平方向に放出する請求項１０または１１に記載の剥ぎ取り方法。
【請求項１３】
前記フォーマー（４）からの剥ぎ取り時における前記手袋（２）の全体として下向きの移動を前記当接体（５５）によって全体として水平な移動に変換する請求項１０〜１２のいずれか１項に記載の剥ぎ取り方法。
【請求項１４】
前記の対向する把持面（３４，３６）間の前記ギャップ（４０）内に前記垂れ下がっているカフ端部分（１０）を受け入れる前に、
剥ぎ取り対象の次の手袋（２）の第１側部（９）に前記第１および第２把持部材（２４，２６）の両者がある状態で、前記の次の手袋（２）の前記垂れ下がっているカフ端部分（１０）を十分受け取ることができる広さのギャップ（４０）が前記の対向する把持面（３４、３６）の間に設定できるように前記第１把持部材（２４）および第２把持部材（２６）を位置決めし、
そして次に、前記第２把持部材（２６）が移動し、前記第１側部（９）に接触し、前記ビーズ付きカフ端部（３）が前記第２把持部材（２６）を乗り越え、前記第１把持部材（２４）および第２把持部材（２６）間の前記ギャップ（４０）に進入するまで、少なくとも前記第２把持部材（２６）を前記の次の手袋（２）の前記の垂れ下がっているカフ端部分（１０）の第１側部（９）に向けて実質的に水平方向に移動させる請求項１０〜１３のいずれか１項に記載の剥ぎ取り方法。
【請求項１５】
前記手袋（２）を完全に剥ぎ取りした後に続き、前記手袋（２）を積み重ね体あるいはボックスとしてコンベヤ(７２)に載置し、次の処理のために剥ぎ取られた手袋（２’）の移動を含む請求項１０〜１４のいずれか１項に記載の方法。
【請求項１６】
夫々の手袋が手指部分（７）およびカフ端部分（１０）を有し、このカフ端部分がビーズ付きカフ端部（３）を最終端にする複数の弾性浸漬成形の手袋（２）を製造する製造ラインのプロセスであって、前記製造ラインは搬送装置（６、６’）上の複数の浸漬成形のフォーマー（４）、浸漬成形段階（１１、１２、１３）、手袋の部分的剥ぎ取り段階（１４）、および手袋の完全剥ぎ取り段階（１５）を有し、
前記プロセスは前記搬送装置を使用して、
前記フォーマー（４）に樹脂を被覆し、これを硬化させて、前記手袋（２）を形成する前記浸漬成形段階（１１、１２、１３）と、
前記ビーズ付きカフ端部（３）をカフ端部分（１０）の最終端（５）に形成した後に、前記手袋の前記ビーズ付きカフ端部が最も下にある状態で、前記フォーマー（４）から垂れ下がるように前記フォーマー（４）から前記カフ端部分を剥ぎ取る手袋の部分的剥ぎ取り段階（１４）であって、前記カフ端部分（１０）が第１材料厚さを有し、かつ、前記ビーズ付きカフ端部（３）が第２材料厚さを有し、前記第１材料厚さが前記第２材料厚さよりも薄い手袋の部分的剥ぎ取り段階（１４）と、
前記請求項１０〜１５のいずれか１項に記載の浸漬成形のフォーマーから手袋を完全に剥ぎ取る方法を使用して、この部分的に剥ぎ取られた手袋（２）を前記フォーマー（４）から完全に剥ぎ取る手袋の完全剥ぎ取り段階（１５）と、
を有して前記浸漬成形のフォーマーを上記の段階毎に順次移動させる製造ラインのプロセス。
【請求項１７】
請求項１０〜１４のいずれかの方法に従う場合に、手袋の完全剥ぎ取り段階（１５）はコンベヤ面（７０）の上に剥ぎ取られた手袋（２’）を載置し、そして、一連の前記載置された手袋（２’）が自動手袋パッキングステーションに送られる請求項１６に記載の製造ラインのプロセス。
【手続補正２】
【補正対象書類名】明細書
【補正対象項目名】００１５
【補正方法】変更
【補正の内容】
【００１５】
本発明の第１態様は、一連の浸漬成形フォーマーから対応する一連の部分的に剥ぎ取られた弾性浸漬成形手袋であって、それぞれが手袋の垂れ下がっているカフ端部分を有し、このカフ端部分それぞれが対向する第１側部および第２側部を有し、かつビーズ付きカフ端部で終端する弾性浸漬成形手袋を完全に剥ぎ取る手袋剥ぎ取り装置であって、
第１把持部材および第２把持部材を有し、これら把持部材のうちの少なくとも一つがこれら把持部材の他方に対して移動し、上記の垂れ下がっているカフ端部分の少なくとも一つの上記の対向している第１側部および第２側部を把持する把持装置であって、上記手袋の剥ぎ取り時に上記フォーマーから離間できる把持装置、
上記第１側部から離間する第１方向に延在し、上記剥ぎ取り時に上記把持装置が上記第１方向に水平移動できる開放空間、および
上記カフ端部分の把持時に上記第１把持部材および第２把持部材の少なくとも一つの移動を駆動する少なくとも一つのアクチュエーター、および上記手袋の把持および剥ぎ取り時に上記移動を制御する制御装置を有する作動システムを有する手袋剥ぎ取り装置において、
上記作動システムが作動して、上記第１および第２把持部材を使用して上記カフ端部分を把持し、次に上記剥ぎ取り時に上記把持装置を上記第１方向に実質的に水平に上記開放空間内を移動させ、
上記手袋剥ぎ取り装置が上記の垂れ下がっているカフ端部分の上記第１側部に近接配置される当接体をさらに含み、
そして
上記開放空間が上記当接体の下側に延在し、
上記剥ぎ取り時に上記開放空間で第１方向の実質的に水平な上記把持装置の動きは、上記当接体に対して上記第１側部を引っ張り、上記把持装置の上記の実質的に水平な移動によって上記手袋が完全に剥ぎ取られるまで、上記手袋の第１剥ぎ取り部分を上記第１および第２把持部材と上記当接体との間に全体として横方向に延在させ、かつ上記手袋の第２剥ぎ取り部分を上記当接体と上記フォーマーとの間で全体として上向きに延在させた手袋剥ぎ取り装置を提供するものである。  
【手続補正３】
【補正対象書類名】明細書
【補正対象項目名】００２５
【補正方法】変更
【補正の内容】
【００２５】
第１および第２把持部材のうちの少なくとも一つが他方の把持部材に対して移動でき、手袋が完全に剥ぎ取られた後に、対向する第１側部および第２側部を解放する。作動システムもカフ端部分の解放時に第１把持部分および第２把持部分の少なくとも一つの移動を駆動する少なくとも一つのアクチュエーターを有するため、この作動システムが作動し、把持部材を使用して、手袋の完全な剥ぎ取り後に、カフ端部分を解放することができる。  
【手続補正４】
【補正対象書類名】明細書
【補正対象項目名】００３２
【補正方法】変更
【補正の内容】
【００３２】
剥ぎ取り装置は、把持装置から剥ぎ取られた手袋を離間搬送するコンベヤベルトを備えていてもよく、コンベヤベルトの搬送面が載置面になる。
【手続補正５】
【補正対象書類名】明細書
【補正対象項目名】００３６
【補正方法】変更
【補正の内容】
【００３６】
把持部材については、第１把持部材および第２把持部材の相互に対する相互移動によってカフ端部分を把持するのが好ましく、この把持構成によってギャップ間の距離を狭めることができ、これによって第１把持部材および第２把持部材が、
（ｉ）上記ギャップ内に上記カフ端部分を受け取り、これによって上記カフ端部分が、ギャップ下の空隙内にビーズ付きカフ端部を設けた状態でギャップの上下に延在する開放構成と、
（ｉｉ）ギャップを十分狭くして、狭くなったギャップを介してビーズ付きカフ端部が通り抜けることを阻止するが、カフ端部分の移動を阻止するほど狭くなく、従って剥ぎ取り時に、ビーズ付きカフ端部が上記の狭くなったギャップによって捕えられるまでカフ端部分がギャップ内を移動できる閉鎖構成と、
の間で移動することができる。
【手続補正６】
【補正対象書類名】明細書
【補正対象項目名】００５３
【補正方法】変更
【補正の内容】
【００５３】
本発明の第２態様は、複数の弾性浸漬成形手袋を製造する製造ラインであって、
複数の浸漬成形フォーマー、
上記浸漬成形フォーマーで上記手袋を被覆し、かつ硬化する浸漬成形段階、
夫々の上記手袋のカフ端部分は、上記手袋のビーズ付きカフ端部が最も低い位置にある状態で、上記手袋のカフ端部分が上記浸漬成形フォーマーから垂れ下がるように、上記フォーマーから上記硬化手袋を部分的に剥ぎ取る手袋の部分剥ぎ取り装置であって、上記カフ端部分が第１材料厚さを有し、かつ上記のビーズ付きカフ端部が第２材料厚さを有し、そして上記第１厚さが上記第２厚さよりも薄い手袋の部分剥ぎ取り装置、および
上記の部分的に剥ぎ取られた手袋を上記フォーマーから完全に剥ぎ取る手袋剥ぎ取り装置を有する製造ラインにおいて、
上記手袋剥ぎ取り装置が部分的に剥ぎ取られた手袋を把持し、上記フォーマーからこれらを剥ぎ取るアクチュエーターシステム、および対向する第１把持部材および第２把持部材を備えた把持装置を有し、上記把持部材が相互に最接近するギャップの対向側部において対向する把持面を構成し、上記アクチュエーターシステムが上記把持部材を相互に移動させて上記ギャップの幅を変更し、
上記アクチュエーターシステムは、
上記把持面を相対的に離間移動させて上記ギャップの幅を広げるとともに、上記手袋の上記のビーズ付きカフ端部が上記把持面の下の空隙に垂れ下がっている状態で、上記の離間移動面を垂れ下がっている少なくとも一つのカフ端部分の対向側に位置決めし、
上記把持面を一緒に相対的に移動させて、上記カフ端部分を上記把持面間に拘束し、そして
上記カフ端部分を上記把持面間に拘束した状態で、上記把持面を上記フォーマーから第１方向に実質的に水平に離間移動させて、
上記手袋剥ぎ取り装置が上記の垂れ下がっているカフ端部分の上記第１側部に近接配置される当接体をさらに含み、
そして
上記フォーマーから第１方向に実質的に水平に離間する上記把持面の上記移動が上記当接体の下側に向かい、
上記手袋を上記フォーマーから完全を剥ぎ取る製造ラインを提供するものである。  
【手続補正７】
【補正対象書類名】明細書
【補正対象項目名】００５４
【補正方法】変更
【補正の内容】
【００５４】
上記アクチュエーターシステムは、
カフ端部の通過を許す程十分広いが、上記ギャップが上記のビーズ付きカフ端部の上記ギャップの通過を阻止する程十分狭くなるように、上記把持面を一緒に相対移動させて、上記のカフ端部分を上記把持面間に拘束し、
上記フォーマーから上記把持面を離間移動させて、上記カフ端部分が上記ギャップを移動している間、上記のビーズ付きカフ端部を上記第１および第２把持面間に捕捉しておき、そして
上記のビーズ付きカフ端部が上記ギャップ内に捕捉されている状態で、上記把持面を上記フォーマーから上記当接体の下であってこの当接体に向けた第１方向に実質的に水平に離間移動させて、上記手袋を上記フォーマーから完全に剥ぎ取るように構成するのが好ましい。  
【手続補正８】
【補正対象書類名】明細書
【補正対象項目名】００５５
【補正方法】変更
【補正の内容】
【００５５】
本発明の第３態様は、複数の弾性浸漬成形手袋を製造する製造ラインであって、
複数の浸漬成形フォーマー、
上記フォーマーで上記手袋を被覆し、かつ硬化する浸漬成形段階、
上記手袋の夫々のカフ端部分は上記手袋のビーズ付きカフ端部が最も低い位置にある状態で、上記手袋の夫々のカフ端部分が上記浸漬成形フォーマーから垂れ下がるように上記フォーマーから上記硬化手袋を部分的に剥ぎ取る手袋の部分剥ぎ取り装置であって、上記カフ端部分が第１材料厚さを有し、かつ上記のビーズ付きカフ端部が第２材料厚さを有し、そして上記第１厚さが上記第２厚さよりも薄い手袋の部分剥ぎ取り装置、および
上記の部分的に剥ぎ取られた手袋を上記フォーマーから完全に剥ぎ取る手袋剥ぎ取り装置を有し、
上記手袋剥ぎ取り装置が本発明の第１態様の手袋剥ぎ取り装置である製造ラインを提供するものである。
【手続補正９】
【補正対象書類名】明細書
【補正対象項目名】００５７
【補正方法】変更
【補正の内容】
【００５７】
本発明の第４態様は、手袋が既に部分的に剥ぎ取られた状態においてこれら手袋を手袋剥ぎ取り装置を使用して浸漬成形フォーマーから手袋を完全に剥ぎ取る方法であって、上記の部分的に剥ぎ取られた手袋それぞれが、上記フォーマーから垂れ下がっているビーズ付きカフ端部で終端させたカフ端部分を有し、上記のビーズ付き端部を上記カフ端部分よりも厚い材料で構成し、上記の垂れ下がっているカフ端部分に対して相対的に移動することができる把持装置を有し、開放空間が上記の垂れ下がっているカフ端部分の第１側部から離間する第１方向に延在し、そして上記把持装置が第１把持部材および第２把持部材を有する少なくとも２つの把持部材を有し、これら把持部材がそれぞれ対向する第１把持面および第２把持面を有し、相互に対して移動できる方法において、
ギャップが、上記把持面間が最接近する上記の対向する把持面に存在するように上記第１把持部材および第２把持部材を位置決めし、
上記の対向する把持面間の上記ギャップ内に上記の垂れ下がっているカフ端部分の少なくとも一つを受け取り、
上記第１把持部材および第２把持部材のうちの少なくとも一つを上記カフ端部分に対して移動させ、上記ビーズ付きカフ端部が狭められたギャップの下にある状態で上記カフ端部分が上記の対向する把持面間に拘束されるまで上記ギャップを狭め、
上記剥ぎ取り時に、上記第１把持部材および第２把持部材を上記開放空間に上記第１方向において実質的に水平に移動させ、この手袋剥ぎ取り装置はさらに、上記の垂れ下がっているカフ端部分の第１側部に近接する当接体があって、この当接体の下に延在する上記開放空間があり、上記剥ぎ取り時の上記第１把持部材および第２把持部材の上記開放空間での実質的に水平の上記第１方向における上記移動は、上記当接体に対して上記第１側部を引っ張り、上記把持部材と上記当接体との間で全体として横方向に上記手袋の第１の剥ぎ取られた部分が引っ張られるとともに、上記手袋が上記把持装置の上記の実質的な水平移動によって完全に剥ぎ取られるまで、上記フォーマーと上記当接体との間で全体として下向きに上記手袋の第２の剥ぎ取られた部分を引っ張る工程を有する剥ぎ取り方法を提供するものである。
【手続補正１０】
【補正対象書類名】明細書
【補正対象項目名】００５８
【補正方法】変更
【補正の内容】
【００５８】
上記のビーズ付きカフ端部ではなく、上記カフ端部分が上記ギャップ内で自在に移動し、上記のビーズ付きカフ端部が狭い上記ギャップ内に嵌めこまれるまで、上記手袋の上記の第１の剥ぎ取られた部分が全体として横方向に引っ張られている間、上記の拘束されたカフ端部分が上記の狭められたギャップに向かって移動するように上記の対向する把持面間で狭められたギャップの幅を設定する。
【手続補正１１】
【補正対象書類名】明細書
【補正対象項目名】００６２
【補正方法】変更
【補正の内容】
【００６２】
上記方法において、上記の垂れ下がっているカフ端部分を対向する把持面間のギャップに取り込む前に、
剥ぎ取り対象の次の手袋の第１側部に上記の第１把持部材および第２把持部材の両者がある状態で、上記の次の手袋の上記の垂れ下がっているカフ端部分を十分受け取ることができる広さのギャップが上記の対向する把持面間に設定できるように上記の第１把持部材および第２把持部材を位置決めし、
そして次に、上記第２把持部材が移動し、上記第１側部に接触し、上記のビーズ付きカフ端部が上記の第２把持部材を乗り越え、上記の第１把持部材および第２把持部材間の上記ギャップに進入するまで、少なくとも上記第２把持部材を上記の次の手袋の上記の垂れ下がっているカフ端部分の第１側部に向けて実質的に水平方向に移動させることが好ましい。  
【手続補正１２】
【補正対象書類名】明細書
【補正対象項目名】００６３
【補正方法】変更
【補正の内容】
【００６３】
本発明の第５態様は、それぞれが手指部分およびカフ端部分を有し、このカフ端部分がビーズ付きカフ端部で終端する複数の弾性浸漬成形手袋を製造する製造ラインプロセスを提供するものであって、上記製造ラインは搬送装置上の複数の浸漬成形フォーマー、浸漬成形段階、手袋の部分剥ぎ取り段階、および手袋の完全剥ぎ取り段階を有し、上記プロセスは上記搬送装置を使用して、上記浸漬成形フォーマーを以下の段階に順次移動させるものであり、：
上記フォーマーに樹脂を被覆し、硬化させて、上記手袋を形成する上記浸漬成形段階；
上記のビーズ付きカフ端部をカフ端部分の終端に形成した後に、上記手袋の上記のビーズ付きカフ端部が最も下にある状態で、上記フォーマーから垂れ下がるように上記フォーマーから上記のカフ端部分を剥ぎ取る手袋の部分剥ぎ取り段階であって、上記カフ端部分が第１材料厚さを有し、かつ上記のビーズ付きカフ端部が第２材料厚さを有し、上記第１厚さが上記第２厚さよりも薄い手袋の部分剥ぎ取り段階；および
上記第４態様の方法を使用して上記の部分的に剥ぎ取られた手袋を上記フォーマーから完全に剥ぎ取る手袋の完全剥ぎ取り段階を提供するものである。
【手続補正１３】
【補正対象書類名】明細書
【補正対象項目名】００７０
【補正方法】変更
【補正の内容】
【００７０】
フォーマー４は多数の公知処理段階を経て、本発明の手袋剥ぎ取り装置に達する。これらの公知処理段階は当業者にとって周知のものである。主処理段階は、フォーマーを酸浴に浸漬し、フォーマーからすべての残留物を除去する浸漬除去段階１１である。残留物が除去されたフォーマーを次に浸漬被覆段階１２に送り、硬化段階１３によって各フォーマー４に手袋２を形成する。これら除去段階、浸漬被覆段階および硬化段階を一括して浸漬成形段階１１、１２、１３と呼ぶことができる。
【手続補正１４】
【補正対象書類名】明細書
【補正対象項目名】００７１
【補正方法】変更
【補正の内容】
【００７１】
浸漬成形段階の後に、手袋のカフ端部を部分的手袋剥ぎ取り段階１４の第１部分において巻き戻し、各手袋２の終端開口５にビーズ付き端部３を形成する。ビーズ付き端部が手袋原料の巻き上げ部分であるため、このビーズ付き端部は手袋の隣接カフ部分１０よりも厚い。ビーズ３は使用時カフ終端部５に機械的な強さを与えるものであるが、これはフォーマー４から手袋を部分的に剥ぎ取るさいにも役に立つ。  
【手続補正１５】
【補正対象書類名】明細書
【補正対象項目名】００９２
【補正方法】変更
【補正の内容】
【００９２】
この点に関して、図５Ｂに示すように、手袋のカフ端部分１０は第１材料厚さ４２を有し、そしてビーズ付き端部３は第２材料厚さ４４を有し、第１厚さは第２厚さよりも薄い。これら材料厚さ４２、４４は本質的に、中空の手袋の両側が固く押し付けられた場合の厚さの合計である。これについては、絞られたギャップ４０´の表面３４、３６を通過するか、あるいはこれら表面に押し付けられた場合と同様である。図５Ｂにおいて、これら第１および第２の厚さはそれぞれ２対の矢印４２、４４で示す。  
【手続補正１６】
【補正対象書類名】明細書
【補正対象項目名】００９６
【補正方法】変更
【補正の内容】
【００９６】
手袋が載置面７０に接近すると、第１および第２の把持アクチュエーター３１、３２によって第１および第２の把持部材２４、２６が離間し、ギャップ４０´´を開放する。手袋の手指部分７が、載置面の外側縁部７１に隣接配置された長手方向に延在する下部当接体５８に接触し始めたさいに生じる空気抵抗および摩擦抵抗力によって、手袋のカフ端部１０が対向する把持面３４、３６の間から落下し、手袋２が自然落下し、載置面７０に横断方向にほぼ平らに堆積する。下部当接体５８が手指部分７の落下運動を減衰するため、親指１９を含む手指部分１７がそれら自体に折り重なることを有効に防ぐ。
【手続補正１７】
【補正対象書類名】明細書
【補正対象項目名】００９７
【補正方法】変更
【補正の内容】
【００９７】
この処理プロセス中、第２エアバー７３から空気７４をほぼ下向きに手指部分に噴射するため、手袋が搬送面で平坦化し、この後カフのビーズ付き端部３が開放した把持面３４、３６の間から自在に引き出され、手袋が把持部材２４、２６から完全に離脱する。空気の噴射力については、手袋の一部あるいは一領域を載置面７０に強固に固着するか、あるいはピン止めされるほど強いことが好ましく、そのため、ピン止めされた領域から離間する把持装置の次の水平移動により手袋のカフ端部が把持装置の間から完全に引っ張り出され、載置面に落下する。空気の噴射（ブレーキ作用）によって手袋をコンベヤにピン止めして、これを停止し、把持装置の移動ジョーから引っ張り出す。ジョーがコンベヤに対して低くなる程、効率が良くなる。図示してはいないが、手袋については、他にも、機械的手段、例えばカム、垂直（ｚ）方向に移動する空気駆動か電気動作の機械的装置によって載置面において平坦化し、固定するか、あるいはピン止めすることも可能である。